(57)【要約】【課題】熱膨張による破損を防ぐとともに、曲面が簡易に設置できるフェンスを提供する。【解決手段】フェンス１０は、一対の支柱１２，１４と、支柱１２，１４間に水平方向に設けられた長手の受材１６と、受材１６に取り付けられるパネルユニット２０とを有する。受材１６は、複数の切り込みＳを備え、これらの切り込みＳを広げるように円弧状に曲げられている。パネルユニット２０は、受材１６に装着される長手の取付材２６と、間隔をあけて取付材２６に設けられた複数の縦材３０とを備えている。縦材３０は、取付材２６の切り込みＴと反対側に設けられている。取付材２６は、複数の切り込みＴを備え、これらの切り込みＴを狭めるように円弧状に曲げられている。【選択図】図１
0003195184.tif 000002
【実用新案登録請求の範囲】
【請求項１】
一対の支柱と、
前記一対の支柱間に水平方向に設けられた複数の長手の受材と、
前記受材に取り付けられるパネルユニットと、
を有するフェンスであって、
前記受材は、複数の切り込みを備え、これらの切り込みを広げるまたは狭めるように曲げられており、
前記パネルユニットは、前記受材に装着される複数の長手の取付材と、これらの取付材に間隔をあけて設けられた複数の縦材とを備え、
前記取付材は、複数の切り込みを備え、これらの切り込みを広げるまたは狭めるように曲げられているフェンス。
【請求項２】
請求項１において、
前記複数の縦材は、前記取付材の前記切り込みと反対側に設けられているフェンス。
【請求項３】
請求項１または２において、
前記受材が断面Ｌ字形状部を備え、前記取付材が断面コ字形状部を備え、
前記受材の下板部の上面と、前記取付材の下板部の下面とが面するように、前記取付材が前記受材に装着されているフェンス。
【請求項４】
請求項１から３のいずれかにおいて、
前記受材および前記取付材は、円弧状に曲げられているフェンス。
【考案の詳細な説明】
【技術分野】
【０００１】
本考案は、熱膨張による破損を防ぐとともに、曲面が簡易に設置できるフェンスに関するものである。
【背景技術】
【０００２】
庭やウッドデッキ等の外周に設置するフェンスには、支柱、横材、および縦材を組み合わせて構成されるものがある。このフェンスの曲面部分は、例えば、複数の支柱の下部を所定の間隔で地中やデッキフロア上に固定した後、隣り合った支柱の間に、曲げられた複数の横材を上下方向に離して固定し、これらの横材に複数の縦材を固定することによって設置する。しかしながら、横材を曲げることや曲げられた横材に複数の縦材を等間隔に固定するのは、時間や労力を要する。また、横材間にネジ等を用いて縦材を固定した場合、縦材の熱膨張によって、支柱、横材、および縦材に無理な力が加わって、フェンスが破損するおそれがある。
【考案の概要】
【考案が解決しようとする課題】
【０００３】
本考案はこのような事情に鑑みてなされたものであり、熱膨張による破損を防ぐとともに、曲面が簡易に設置できるフェンスを提供することを目的とする。
【課題を解決するための手段】
【０００４】
本考案のフェンスは、一対の支柱と、一対の支柱間に水平方向に設けられた複数の長手の受材と、受材に取り付けられるパネルユニットと、を有するフェンスであって、受材は、複数の切り込みを備え、これらの切り込みを広げるまたは狭めるように曲げられており、パネルユニットは、受材に装着される複数の長手の取付材と、これらの取付材に間隔をあけて設けられた複数の縦材とを備え、取付材は、複数の切り込みを備え、これらの切り込みを広げるまたは狭めるように曲げられている。
【０００５】
本考案のフェンスにおいて、複数の縦材は、取付材の切り込みと反対側に設けられていることが好ましい。本考案のフェンスにおいて、受材が断面Ｌ字形状部を備え、取付材が断面コ字形状部を備え、受材の下板部の上面と、取付材の下板部の下面とが面するように、取付材が受材に装着されていることが好ましい。本考案のフェンスにおいて、受材および取付材は、円弧状に曲げられていてもよい。
【考案の効果】
【０００６】
本考案によれば、熱膨張による破損を防ぐとともに、曲面が簡易に設置できるフェンスが得られる。
【図面の簡単な説明】
【０００７】
【図１】本考案の実施形態に係るフェンスの上面図である。
【図２】本考案の実施形態に係るフェンスの正面図である。
【図３】図２のフェンスのＡ−Ａ線切断端面の部分拡大図である。
【図４】本考案の実施形態に係るフェンスの組立方法を説明するための上面図である。
【図５】本考案の実施形態に係るフェンスの組立方法を説明するための上面図である。
【図６】本考案の他の実施形態に係るフェンスの上面図である。
【考案を実施するための形態】
【０００８】
以下、本考案のフェンスについて、図面を参照しながら各実施形態に基づいて説明する。なお、図面は、フェンス、フェンスを構成する部材、およびフェンス周辺の部材を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は、本考案の実施形態に係るフェンス１０の上面図である。図２は、フェンス１０の正面図である。フェンス１０は、２つの直線状のフェンスの出隅として採用できる。すなわち、フェンス１０の左側および右側に直線状のフェンスをそれぞれ設けると、これら２つのフェンスが直角に曲がる部分をフェンス１０によって滑らかにつなぐことができる。フェンス１０は、図１および図２に示すように、一対の支柱１２，１４と、受材１６，１８と、パネルユニット２０とを備えている。支柱１２，１４は、底面が正方形または長方形等である四角柱形状を有し、木または樹脂等からなる。支柱１２，１４は、ウッドデッキ等に下部が固定されたり、下部が地中に埋設されたりして設置される。なお、支柱１２，１４の形状や材質には特に制限がない。また、フェンスの設置場所に応じて、支柱の数を適宜増加させてもよい。
【００１０】
受材１６，１８はアルミやステンレス等の金属からなる長手の部材である。受材１６，１８は支柱１２，１４の間に水平方向に取り付けられている。具体的には、受材１６，１８は、ネジ等によって、支柱１２，１４の正面１２ａ，１４ａに取り付けられている。ネジ止め以外にも、接着剤で固定する方法や、支柱の正面に凹部を設け、受材を嵌め込んで固定する方法等が採用できる。受材１６，１８は複数の切り込みＳを備えている。切り込みＳは、受材１６，１８の長手方向と垂直に設けられている。切り込みＳは、受材１６，１８を鋸歯で削ることによって形成される。鋸歯に代えて、鋏などを用いて切り込みＳを形成してもよい。切り込みＳの形状は、長方形、台形、五角形等が採用できる。受材１６，１８は、切り込みＳを広げるように円弧状に曲げられている。
【００１１】
パネルユニット２０は受材１６，１８に取り付けられて、フェンス１０の正面を構成している。パネルユニット２０は、受材１６，１８に装着される複数の長手の取付材２６，２８と、取付材２６，２８に間隔をあけて設けられた複数の縦材３０とを備えている。取付材２６，２８はアルミやステンレス等の金属からなる長手の部材である。取付材２６，２８は複数の切り込みＴを備えている。切り込みＴは、取付材２６，２８の長手方向と垂直に設けられている。切り込みＴの形成方法や形状は、切り込みＳの場合と同様である。取付材２６，２８は、切り込みＴを狭めるように円弧状に曲げられている。
【００１２】
縦材３０は、ネジ止め等によって取付材２６，２８に固定されている。複数の縦材３０は切り込みＴと反対側に設けられている。このため、フェンス１０を組み立てたときに、切り込みＴが正面から見えない。縦材３０は、底面が長方形の角材で、木または樹脂等からなる。縦材は、長方形や五角形等の板状部材でもよいし、底面が三角形や正方形等の角材でもよい。本実施形態のパネルユニット２０には、縦材３０が８本設けられているが、縦材３０の形状、材質、および数量には特に制限がない。
【００１３】
図３は、図２のフェンス１０のＡ−Ａ線切断端面の部分拡大図である。図３に示すように、受材１６は断面Ｌ字形状部を備え、主に支柱固定部１６ａと、下板部１６ｂと、下板部１６ｂから上方に突出した突出部１６ｃとから構成されている。すなわち、受材１６の断面は、「Ｆ」の文字を９０°左に回転したような形状をしている。取付材２６は断面コ字形状部を備え、主に上板部２６ａと、縦材固定部２６ｂと、下板部２６ｃとから構成されている。そして、下板部１６ｂの上面と、下板部２６ｃの下面とが面するように、取付材２６が受材１６に上方から装着されている。
【００１４】
受材１８と取付材２８の形状も、受材１６と取付材２６と同様である。受材１６，１８と取付材２６，２８がこのような形状をしているため、パネルユニット２０が受材１６，１８に密着固定されて、フェンス１０のがたつきが抑えられる。また、フェンス１０は、パネルユニット２０を受材１６，１８に上方から装着する構造なので、簡易に設置できる。さらに、縦材３０が受材１６，１８と取付材２６，２８を介して支柱１２，１４に固定されているので、縦材３０の熱膨張によるフェンス１０の破損を防ぐことができる。なお、取付材２６，２８は、縦材３０の熱膨張によるフェンス１０の破損を防げる程度で、受材１６，１８にネジ止め固定されている（不図示）。ネジ止め固定以外の他の手段で、取付材２６，２８が受材１６，１８に固定されていてもよい。
【００１５】
つぎに、フェンス１０の組立方法について説明する。図４と図５は、フェンス１０の組立方法を説明するための上面図である。まず、図４に示すように、受材１６を曲げて、地面等に設置してある支柱１２，１４にネジ等で取り付ける。受材１８も同様にして支柱１２，１４に取り付ける（不図示）。つぎに、図５に示すように、予め組み立てられたパネルユニット２０を曲げて、受材１６，１８に装着する。こうしてフェンス１０が簡易に作製できる。また、切り込みＳ，Ｔが形成されているため、フェンス１０の施工現場で受材１６，１８と取付材２６，２８が容易に曲げられる。さらに、直線状の受材１６，１８やパネルユニット２０をフェンス１０の施工現場に持ち込めるので、予め曲面状に加工されたフェンス部材を持ち込む場合と比べて荷物容量が小さくなる。
【００１６】
以上、実施形態に基づいて本考案のフェンスを説明したが、本考案のフェンスは上記実施形態に限定されない。例えば、受材１６，１８は、切り込みＳを狭めるように曲げられていてもよく、取付材２６，２８は、切り込みＴを広げるように曲げられていてもよい。切り込みＳを狭めるように曲げ、切り込みＴを広げるように曲げたフェンス４０を図６に示す。フェンス４０は、２つの直線状のフェンスの入隅として採用できる。すなわち、フェンス４０の左側および右側に直線状のフェンスをそれぞれ設けると、これら２つのフェンスが直角に曲がる部分をフェンス４０によって滑らかにつなぐことができる。
【００１７】
また、支柱、受材、取付材、および縦材の材料や数量等に特に制限はない。受材と取付材の曲げ方にも特に制限がなく、上面から見てＳ字形状やＣ字形状等に曲げてもよい。上記実施形態では、受材と取付材を中心角が９０°となるように円弧状に曲げたが、中心角が９０°未満の、または９０°より大きい円弧状に曲げてもよい。
【符号の説明】
【００１８】
１０，４０  フェンス
１２，１４  支柱
１２ａ，１４ａ…正面
１６，１８  受材
１６ａ…支柱固定部
１６ｂ…下板部
１６ｃ…突出部
２０  パネルユニット
２６，２８  取付材
２６ａ…上板部
２６ｂ…縦材固定部
２６ｃ…下板部
３０  縦材
Ｓ，Ｔ  切り込み
【図１】
0003195184.tif 000003
【図２】
0003195184.tif 000004
【図３】
0003195184.tif 000005
【図４】
0003195184.tif 000006
【図５】
0003195184.tif 000007
【図６】
0003195184.tif 000008